(57)【要約】      （修正有）【課題】開封することができる袋を提供する。【解決手段】内容物を収容する収容部１５を備えた袋１０は、１枚又は複数枚のフィルムであって、第１方向に延びる第１端部２３１を含む第１部分２３と、第１方向に延びる第２端部を含む第２部分２４と、を少なくとも有する、１枚又は複数枚のフィルムと、第１部分のうち第１端部側の一部と、第２部分のうち第２端部側の一部とが重なっている合掌部３６であって、少なくとも部分的に合掌シール部３５によって接合された合掌部と、合掌部に設けられた第１開封予定部４０と、第１開封予定部から第１方向に延びるように第１部分に設けられた第１易破断部５１と、第１開封予定部から第１方向に交差する第２方向に延びるように第２部分に設けられた第２易破断部５２と、第１方向において第２易破断部から離れた位置において第２方向に延びるように第２部分に設けられた第３易破断部５３と、を備える。【選択図】図１
2018193108.tif 000002
【特許請求の範囲】
【請求項１】
内容物を収容する収容部を備えた袋であって、
１枚又は複数枚のフィルムであって、第１方向に延びる第１端部を含む第１部分と、前記第１方向に延びる第２端部を含む第２部分と、を少なくとも有する、１枚又は複数枚のフィルムと、
前記第１部分のうち前記第１端部側の一部と、前記第２部分のうち前記第２端部側の一部とが重なっている合掌部であって、少なくとも部分的に合掌シール部によって前記第１方向に沿って接合された合掌部と、
前記合掌部に設けられた第１開封予定部と、
前記第１開封予定部から前記第１方向に延びるように前記第１部分に設けられた第１易破断部と、
前記第１開封予定部から前記第１方向に交差する第２方向に延びるように前記第２部分に設けられた第２易破断部と、
前記第１方向において前記第２易破断部から離れた位置において第２方向に延びるように前記第２部分に設けられた第３易破断部と、を備える、袋。
【請求項２】
前記第１開封予定部は、前記第１部分の前記第１端部及び前記第２部分の前記第２端部に形成されたノッチを含む、請求項１に記載の袋。
【請求項３】
前記第１易破断部は、前記第１部分に形成された傷痕群を含み、
前記第２易破断部及び前記第３易破断部は、前記第２部分に形成された傷痕群又はハーフカット部を含む、請求項１又は２に記載の袋。
【請求項４】
前記第１部分は、前記第１方向に沿って延伸された延伸フィルムを含み、
前記第２易破断部及び前記第３易破断部は、前記第２部分に形成された傷痕群又はハーフカット部を含む、請求項１又は２に記載の袋。
【請求項５】
前記第１易破断部は、前記第１部分に形成された傷痕群を含み、
前記第２部分は、前記第２方向に沿って延伸された延伸フィルムを含む、請求項１又は２に記載の袋。
【請求項６】
前記第１方向において前記第１開封予定部から離れた位置において前記合掌部に設けられた第２開封予定部を更に備え、
前記第３易破断部は、前記第２開封予定部から前記第２方向に延びている、請求項１乃至５のいずれか一項に記載の袋。
【発明の詳細な説明】
【技術分野】
【０００１】
本発明は、内容物を収容する収容部を備えた袋に関する。
【背景技術】
【０００２】
内容物を収容するための袋として、ＰＥＴやナイロンなどの軟包装材から構成された袋が用いられている。このような袋は、例えば特許文献１に記載されているように、軟包装材を含むフィルムの内面同士を熱溶着してシール部を形成することによって構成されている。この場合、内容物を収容するための収容部は、フィルムおよびシール部によって囲われた空間として画成される。
【０００３】
軟包装材から構成された袋には通常、シール部を破断して袋を開封することを容易にするための開封開始手段が設けられている。例えば特許文献１においては、開封開始手段として、背シール部の端部に傷痕群を設けることが提案されている。特許文献１に記載の袋においは、傷痕群に沿って袋のフィルムを破断させることにより、袋を背シール部において開封することができる。
【先行技術文献】
【特許文献】
【０００４】
【特許文献１】特開平６−４８４５０号公報
【発明の概要】
【発明が解決しようとする課題】
【０００５】
特許文献１に記載の袋においては、傷痕群に沿って袋のフィルムを破断させることにより、袋のうち背シール部が存在していた部分に細長い開口部が形成される。この場合、開口部の幅が狭く、このため内容物を取り出し辛い。
【０００６】
本発明は、このような課題を効果的に解決し得る袋を提供することを目的とする。
【課題を解決するための手段】
【０００７】
本発明は、内容物を収容する収容部を備えた袋であって、１枚又は複数枚のフィルムであって、第１方向に延びる第１端部を含む第１部分と、前記第１方向に延びる第２端部を含む第２部分と、を少なくとも有する、１枚又は複数枚のフィルムと、前記第１部分のうち前記第１端部側の一部と、前記第２部分のうち前記第２端部側の一部とが重なっている合掌部であって、少なくとも部分的に合掌シール部によって前記第１方向に沿って接合された合掌部と、前記合掌部に設けられた第１開封予定部と、前記第１開封予定部から前記第１方向に延びるように前記第１部分に設けられた第１易破断部と、前記第１開封予定部から前記第１方向に交差する第２方向に延びるように前記第２部分に設けられた第２易破断部と、前記第１方向において前記第２易破断部から離れた位置において第２方向に延びるように前記第２部分に設けられた第３易破断部と、を備える、袋である。
【０００８】
本発明による袋において、前記第１開封予定部は、前記第１部分の前記第１端部及び前記第２部分の前記第２端部に形成されたノッチを含んでいてもよい。
【０００９】
本発明による袋において、前記第１易破断部は、前記第１部分に形成された傷痕群を含み、前記第２易破断部及び前記第３易破断部は、前記第２部分に形成された傷痕群又はハーフカット部を含んでいてもよい。
【００１０】
本発明による袋において、前記第１部分は、前記第１方向に沿って延伸された延伸フィルムを含み、前記第２易破断部及び前記第３易破断部は、前記第２部分に形成された傷痕群又はハーフカット部を含んでいてもよい。
【００１１】
本発明による袋において、前記第１易破断部は、前記第１部分に形成された傷痕群を含み、前記第２部分は、前記第２方向に沿って延伸された延伸フィルムを含んでいてもよい。
【００１２】
本発明による袋は、前記第１方向において前記第１開封予定部から離れた位置において前記合掌部に設けられた第２開封予定部を更に備え、前記第３易破断部は、前記第２開封予定部から前記第２方向に延びていてもよい。
【発明の効果】
【００１３】
本発明によれば、第１易破断部、第２易破断部及び第３易破断部に沿って袋を破断させることができる。このため、第１易破断部、第２易破断部及び第３易破断部によって画成される開口部を袋に形成することができる。
【図面の簡単な説明】
【００１４】
【図１】合掌部が第２部分と対向する状態にある場合の、本発明の実施の形態における袋を示す平面図である。
【図２】合掌部が第１部分と対向する状態にある場合の、本発明の実施の形態における袋を示す平面図である。
【図３】図１の袋をIII−III方向から見た断面図である。
【図４Ａ】袋を構成するフィルムの層構成の一例を示す断面図である。
【図４Ｂ】袋を構成するフィルムの層構成の一例を示す断面図である。
【図５】第１易破断部の一例を示す平面図である。
【図６】図５の第１易破断部をVI−VI方向から見た断面図である。
【図７】第２易破断部の一例を示す平面図である。
【図８】第２易破断部の一例を示す平面図である。
【図９】図８の第２易破断部をIX−IX方向から見た断面図である。
【図１０】第１開封予定部に沿って合掌部を破断させる工程を示す図である。
【図１１】第１易破断部及び第２易破断部に沿って第１部分及び第２部分を破断させる工程を示す図である。
【図１２】第１易破断部及び第２易破断部に沿って第１部分及び第２部分を破断させる工程を示す図である。
【図１３】第２開封予定部に沿って合掌部を破断させる工程を示す図である。
【図１４】第３易破断部に沿って第２部分を破断させる工程を示す図である。
【図１５】袋の一変形例を示す平面図である。
【図１６】袋の一変形例を示す平面図である。
【図１７】図１６の袋をXVII−XVII方向から見た断面図である。
【図１８】袋の一変形例を示す平面図である。
【図１９】図１８の袋をXIX−XIX方向から見た断面図である。
【図２０】袋の一変形例を示す断面図である。
【発明を実施するための形態】
【００１５】
以下、図１乃至図１４を参照して、本発明の実施の形態について説明する。なお、本件明細書に添付する図面においては、図示と理解のしやすさの便宜上、縮尺および縦横の寸法比等を、実物のそれらから適宜変更し誇張してある。
【００１６】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
袋
袋１０は、表面フィルム２１及び表面フィルム２１に対向する裏面フィルム２２と、フィルムの内面同士を接合するシール部と、を備える。後述するように、図１に示す例において、表面フィルム２１及び裏面フィルム２２は、１枚のフィルムを折り返すことによって構成されている。シール部は、内容物を収容する収容部１５を画成し封止するよう構成されている。袋１０は、フィルムの後述する第１部分の一部及び第２部分の一部が重なっている合掌部３６を含んでいる。シール部は、合掌部３６に形成された合掌シール部３５を含んでいる。図１に示す例において、合掌部３６及び合掌シール部３５は表面フィルム２１側に形成されている。すなわち、図１に示す袋１０は、いわゆるピロー袋である。図１及び図２は、本実施の形態における袋１０を表面フィルム２１側から見た場合を示す平面図である。また図３は、図１に示す袋１０をIII−III方向から見た場合を示す断面図である。
【００１８】
本実施の形態に係る袋１０においては、使用者が合掌部３６及び表面フィルム２１を引き裂いて袋１０を開封し、収容部１５に収容された内容物を取り出す、という使用方法が想定されている。内容物としては、このような使用方法に適したものが選択される。
袋１０が、内容物を直接包装する一次包装容器である場合、内容物の形態は、例えば、粒体、紛体、固体などである。
袋１０が、内容物を直接包装する一次包装容器を収容する二次包装容器である場合、内容物の形態は特には限定されない。例えば、内容物の形態は、上述の粒体、紛体、固体などであってもよく、液体のような、より高い流動性を有するものであってもよい。
【００１９】
以下、袋１０の構成について説明する。図１及び図２に示すように、袋１０は、対向する第１縁部１１及び第２縁部１２と、対向する第３縁部１３及び第４縁部１４とを有する。第３縁部１３と第４縁部１４は、第１縁部１１と第２縁部１２の間に延びている。以下の説明において、第１縁部１１及び第２縁部１２が延びる方向のことを、第１方向Ｄ１とも称する。また、第１方向Ｄ１に交差する方向のことを、第２方向Ｄ２とも称する。本実施の形態において、第１方向Ｄ１は、袋１０の製造工程において袋１０を構成するフィルムが搬送される搬送方向に平行である。図１及び図２に示す例において、第２方向Ｄ２は、第１方向Ｄ１に直交している。また、第３縁部１３及び第４縁部１４は、第２方向Ｄ２に平行に延びている。
【００２０】
図１は、上述の合掌部３６が第２縁部１２側に倒された状態を示している。また、図２は、合掌部３６が第１縁部１１側に倒された状態を示している。
【００２１】
図１において、符号Ｌ１０は、第１方向Ｄ１における第１縁部１１及び第２縁部１２の長さを表す。Ｌ１０は、例えば６０ｍｍ以上且つ３００ｍｍ以下である。また、符号Ｌ２０は、第２方向Ｄ２における第３縁部１３及び第４縁部１４の長さを表す。Ｌ２０は、例えば４０ｍｍ以上且つ２５０ｍｍ以下である。また、Ｌ１０に対するＬ２０の比は、例えば０．５以上且つ１．５以下である。また、符号Ｌ２１は、第２方向Ｄ２における第１縁部１１から合掌シール部３５までの距離を表す。
【００２２】
図１及び図２に示すように、合掌シール部３５は、第２縁部１２よりも第１縁部１１に近接していてもよい。すなわち、第１縁部１１から合掌シール部３５（合掌部３６の基部３６２）までの距離Ｌ２１が、第２縁部１２から合掌シール部３５（合掌部３６の基部３６２）までの距離よりも小さくなっていてもよい。例えば、長さＬ２０に対する距離Ｌ２１の比は、０．１以上且つ０．７以下である。後述するように、本実施の形態による袋１０を開封すると、合掌シール部３５から第２縁部１２に至る領域に開口部が形成される。合掌シール部３５を第１縁部１１寄りに配置することにより、開口部の面積を大きくすることができる。
【００２３】
上述のように、袋１０は、表面フィルム２１及び裏面フィルム２２を備える。図１及び図２に示す例において、表面フィルム２１及び裏面フィルム２２は、１枚のフィルムを第１方向Ｄ１に沿って第１縁部１１及び第２縁部１２で折り返すことによって構成されている。本実施の形態においては、フィルムのうち第１縁部１１で折り返されて表面フィルム２１を構成する部分のことを第１部分２３と称する。図１及び図３に示すように、第１部分２３は、第１方向Ｄ１に延びる第１端部２３１を含む。また、フィルムのうち第２縁部１２で折り返されて表面フィルム２１を構成する部分のことを第２部分２４と称する。第２部分２４は、図２及び図３に示すように、第１方向Ｄ１に延びる第２端部２４１を含む。上述の合掌部３６は、第１部分２３のうち第１端部２３１を含む一部分と、第２部分２４のうち第２端部２４１を含む一部分とが重ねあわされた部分である。第１部分２３の第１端部２３１及び第２部分２４の第２端部２４１が、合掌部３６の先端部３６１となる。
【００２４】
袋１０の一部には、内容物を充填するための開口部を形成しておく。内容物を充填した後、開口部を閉じるようにシール部を形成することにより、袋１０を封止することができる。
【００２５】
後述するように、表面フィルム２１が一枚のフィルムで構成されていてもよい。例えば、後述するように、表面フィルム２１が一枚のフィルムで構成され、裏面フィルム２２が、表面フィルム２１を構成するフィルムとは別の一枚のフィルムで構成されていてもよい。
【００２６】
次に、袋１０を構成するフィルムの内面同士を接合するシール部について説明する。図１及び図２に示す例において、シール部は、第３縁部１３に沿って延びる第３シール部３３、第４縁部１４に沿って延びる第４シール部３４、及び、合掌シール部３５を有する。なお、フィルム同士を接合して袋１０を封止することができる限りにおいて、シール部を形成するための方法が特に限られることはない。例えば、加熱などによってフィルム同士を溶融させて、フィルムを溶着させることによって、シール部を形成してもよい。若しくは、接着剤などを用いてフィルム同士を接着することによって、シール部を形成してもよい。
【００２７】
合掌シール部３５は、図１乃至図３に示すように、第１部分２３の内面のうち第１端部２３１側の一部と、第２部分２４の内面のうち２４１側の一部とを、第１方向Ｄ１に沿って接合している。合掌シール部３５は、第３シール部３３から第４シール部３４に至るように第１方向Ｄ１に延びていればよい。図３に示すように、合掌シール部３５は、第１端部２３１及び第２端部２４１に接していてもよく、若しくは、図示はしないが、合掌シール部３５は、第１端部２３１及び第２端部２４１（すなわち合掌部３６の先端部３６１）に接していなくてもよい。好ましくは、合掌シール部３５は、合掌部３６の基部３６２にまで達するよう構成される。合掌シール部３５は、第２方向Ｄ２における合掌部３６の全幅にわたって形成されていなくてもよい。
【００２８】
（フィルムの層構成）
次に、袋１０を構成する表面フィルム２１や裏面フィルム２２などのフィルム２０の層構成について説明する。図４Ａは、フィルム２０の層構成の一例を示す断面図である。
【００２９】
図４Ａに示すように、フィルム２０は、少なくともシーラント層６１及び第１基材６２Ａを含む。図４Ａに示す例においては、シーラント層６１が、フィルム２０の内面Ｓ１を構成し、第１基材６２Ａが、フィルム２０の外面Ｓ２を構成している。また、フィルム２０は、シーラント層６１と第１基材６２Ａとの間に位置する機能層６３を更に含んでいてもよい。また、フィルムは、シーラント層６１と機能層６３とを接着する第１接着層６４、第１基材６２Ａと機能層６３とを接着する第２接着層６５などの接着層を更に含んでいてもよい。フィルム２０の厚みは、例えば５０μｍ以上且つ１３０μｍ以下である。
【００３０】
シーラント層６１及び第１基材６２Ａ並びに必要に応じて機能層６３を積層する方法としては、ドライラミネート法、押し出しラミネート法などを挙げることができる。
ドライラミネート法においては、フィルム状のシーラント層６１、フィルム状の第１基材６２Ａなどを、接着剤を用いて貼り合わせる。この場合、第１接着層６４や第２接着層６５は、エーテル系接着剤などの接着剤を含む。
押し出しラミネート法においては、例えば、フィルム状の第１基材６２Ａの上に、又はフィルム状の第１基材６２Ａと機能層６３の積層体の上に、シーラント層６１を構成する、溶融状態にある材料をフィルム状に押し出す。この場合、シーラント層６１と第１基材６２Ａとの間、又はシーラント層６１と機能層６３との間に接着層が存在していなくてもよい。また、第１基材６２Ａや機能層６３のシーラント層６１側の面に、アンカーコート層が設けられていてもよい。
【００３１】
シーラント層６１を構成する材料としては、例えば、エチレン−メタクリル酸共重合体（ＥＭＭＡ）や低密度ポリエチレン（ＬＤＰＥ）や直鎖状低密度ポリエチレン（ＬＬＤＰＥ）などのポリエチレンやポリプロピレンを用いることができる。ポリプロピレンとしては、例えば無延伸ポリプロピレンフィルムを用いることができる。シーラント層６１の厚みは、例えば２０μｍ以上且つ１００μｍ以下、好ましくは５０μｍ以下、さらに好ましくは３０μｍ以下である。シーラント層６１は、単一の層で構成されていてもよいし、複数の層で構成されていてもよい。
【００３２】
第１基材６２Ａを構成する材料としては、例えばポリエチレンテレフタレートやポリブチレンテレフタレートなどのポリエステルやナイロンなどのポリアミドや高密度ポリエチレンやポリプロピレンなどポリオレフィンなどのプラスチックを用いることができる。
【００３３】
第１基材６２Ａを構成するプラスチックフィルムは、後述するように、一軸または二軸に延伸されていてもよい。この場合、第１基材６２Ａは、第１方向Ｄ１における破断強度と第２方向Ｄ２における破断強度とが異なるように延伸されていてもよい。例えば、第２方向Ｄ２における第１基材６２Ａの破断強度が、第１方向Ｄ１における破断強度より小さくなっていてもよい。反対に、第１方向Ｄ１における第１基材６２Ａの破断強度が、第２方向Ｄ２における破断強度より小さくなっていてもよい。以下の説明において、第１基材６２Ａや後述する第２基材などのプラスチックフィルムの特性のうち、第２方向Ｄ２における破断強度が第１方向Ｄ１における破断強度より小さくなるという特性のことを、「横裂き」とも称する。また、プラスチックフィルムの特性のうち、第１方向Ｄ１における破断強度が第２方向Ｄ２における破断強度より小さくなるという特性のことを、「縦裂き」とも称する。また、プラスチックフィルムの特性のうち、第１方向Ｄ１における破断強度と第２方向Ｄ２における破断強度とが同等であり、且つ第１方向Ｄ１及び第２方向Ｄ２のいずれにおいても裂け易い特性のことを、「等方性易引裂」とも称する。
横裂きのプラスチックフィルムにおいて、第１方向Ｄ１における破断強度に対する第２方向Ｄ２における破断強度の比は、好ましくは１／２以下であり、より好ましくは１／４以下である。横裂きのプラスチックフィルムにおいて、第２方向Ｄ２における破断強度は、例えば１００ＭＰａ以下であり、第１方向Ｄ１における破断強度は、例えば２００ＭＰａ以下である。横裂きのプラスチックフィルムは、後述するように、例えば横裂きOPPや横裂きHDPEである。
また、縦裂きのプラスチックフィルムにおいて、第２方向Ｄ２における破断強度に対する第１方向Ｄ１における破断強度の比は、好ましくは１／２以下であり、より好ましくは１／４以下である。縦裂きのプラスチックフィルムにおいて、第１方向Ｄ１における破断強度は、例えば１００ＭＰａ以下であり、第２方向Ｄ２における破断強度は、例えば２００ＭＰａ以下である。
また、等方性易引裂のプラスチックフィルムにおいて、第１方向Ｄ１における破断強度及び第２方向Ｄ２における破断強度はいずれも、例えば１００ＭＰａ以下である。等方性易引裂のプラスチックフィルムにおいて、第１方向Ｄ１における破断強度と第２方向Ｄ２における破断強度の差は３０％以下である。等方性易引裂のプラスチックフィルムは、後述するように、例えば等方性易引裂PETである。
【００３４】
また、第１基材６２Ａには、製品情報を示したり美感を付与したりするための印刷表示が施されていてもよい。印刷表示としては、文字、数字、記号、図形、絵柄などを挙げることができる。第１基材６２Ａの厚みは、例えば４μｍ以上且つ３０μｍ以下である。
【００３５】
機能層６３としては、水蒸気その他のガスバリア性、遮光性、各種の機械的強度など、必要とされる性能に応じて、適切なものが選択され得る。例えば、機能層６３がガスバリア層である場合、機能層６３は、アルミニウム箔などの金属箔であってもよい。また、機能層６３は、第１基材６２Ａに設けられた蒸着層や樹脂層であってもよい。蒸着層は、例えば、アルミニウムなどの無機物や酸化アルミニウムや酸化珪素などの無機酸化物などの、ガスバリア性を有する物質を含む。樹脂層は、例えば、エチレン−ビニルアルコール共重合体（ＥＶＯＨ）、ポリ塩化ビニリデン樹脂（ＰＶＤＣ）や、ナイロンＭＸＤ６などの芳香族ポリアミドなどの、ガスバリア性を有する樹脂材料を含む。このようなガスバリア性を有する機能層６３を設けることにより、酸素や水蒸気が袋１０の内部に浸入することを抑制することができる。
なお、機能層６３として例示した上述の層が、第１基材６２Ａとシーラント層６１との間の機能層６３に代えて、若しくは機能層６３に加えて、第１基材６２Ａの外側（外面Ｓ２側）に設けられていてもよい。
【００３６】
図４Ｂに示すように、フィルム２０は、第１基材６２Ａとシーラント層６１との間に位置する第２基材６２Ｂを更に含んでいてもよい。第２基材６２Ｂを構成する材料としては、第１基材６２Ａと同様に、例えばポリエチレンテレフタレートやポリブチレンテレフタレートなどのポリエステルやナイロンなどのポリアミドや高密度ポリエチレンやポリプロピレンなどポリオレフィンなどのプラスチックを用いることができる。第２基材６２Ｂは、第１基材６２Ａと同様に、横裂きのプラスチックフィルムであってもよく、縦裂きのプラスチックフィルムであってもよい。
【００３７】
図４Ｂに示す例においても、フィルム２０は、上述の機能層６３を更に含んでいてもよい。機能層６３は、第１基材６２Ａと第２基材６２Ｂとの間に位置していてもよく、第２基材６２Ｂとシーラント層６１との間に位置していてもよい。
【００３８】
また、フィルム２０は、図示はしないが、第１基材６２Ａ及び第２基材６２Ｂに加えて、更なるプラスチックフィルムを含んでいてもよい。
【００３９】
なお、フィルム２０の層構成は、上述したものに限定されないことは言うまでもない。また、表面フィルム２１の層構成と裏面フィルム２２の層構成とは、同一であってもよく、異なっていてもよい。
【００４０】
次に、袋１０を引き裂いて袋１０を開封するための構成要素について説明する。図１及び図２に示すように、袋１０は、合掌部３６に設けられた第１開封予定部４０及び第２開封予定部４５、表面フィルム２１の第１部分２３に設けられた第１易破断部５１、並びに、表面フィルム２１の第２部分２４に設けられた第２易破断部５２及び第３易破断部５３を備える。
【００４１】
（第１開封予定部）
第１開封予定部４０は、袋１０を開封するために合掌部３６及び合掌シール部３５を破断させる際の、破断のきっかけとなる部分である。第１開封予定部４０は、例えば、第４縁部１４よりも第３縁部１３に近接する位置に形成されている。第１開封予定部４０は、例えば、図１及び図２に示すように、第１部分２３の第１端部２３１及び第２部分２４の第２端部２４１に形成されたノッチ４１を含む。ノッチ４１は、Ｖ字型などの切り欠きや、切り込みなどである。合掌部３６及び合掌シール部３５は、ノッチ４１が延びる方向に沿って破断される。従って、合掌部３６及び合掌シール部３５のうちノッチ４１、又はノッチ４１及びノッチ４１の延長線と重なる部分が、第１開封予定部４０となる。第１開封予定部４０は、ノッチ４１に代えて、又はノッチ４１に加えて、傷痕群やハーフカット線を含んでいてもよい。
【００４２】
図１及び図２に示すように、第１開封予定部４０及びノッチ４１は、第１方向Ｄ１及び第２方向Ｄ２のいずれに対しても傾斜した方向に延びていてもよい。例えば、ノッチ４１は、合掌部３６の先端部３６１側から収容部１５側へ向かうにつれて第４縁部１４側へ変位するよう、構成されている。ノッチ４１が延びる方向と第１方向Ｄ１とが成す角度は、３５度以上且つ９０度であってもよい。これにより、袋１０を開封する際に使用者が袋１０に加える力の成分が、第１方向Ｄ１の成分及び第２方向Ｄ２の成分の両方を含むようになる。このことにより、第１易破断部５１及び第２易破断部５２を破断させ易くなる。
【００４３】
なお、第１方向Ｄ１に交差する方向において第１開封予定部４０が合掌シール部３５を横断することができる限りにおいて、第１開封予定部４０やノッチ４１が延びる方向は特には限られない。例えば、図示はしないが、ノッチ４１が延びる方向が、第２方向Ｄ２と平行であってもよい。
【００４４】
（第２開封予定部）
第２開封予定部４５も、第１開封予定部４０と同様に、袋１０を開封するために合掌部３６及び合掌シール部３５を破断させる際の、破断のきっかけとなる部分である。第２開封予定部４５は、図１及び図２に示すように、第１方向Ｄ１において第１開封予定部４０から第４縁部１４側へ離れた位置において合掌部３６に設けられている。第１方向Ｄ１における第１開封予定部４０と第２開封予定部４５との間の距離Ｌ１１は、例えば３０ｍｍ以上且つ２７０ｍｍ以下である。長さＬ１０に対する距離Ｌ１１の比が、０．５以上且つ０．９以下であってもよい。
【００４５】
第２開封予定部４５は、第１開封予定部４０と同様に、例えば、第１部分２３の第１端部２３１及び第２部分２４の第２端部２４１に形成されたノッチ４６を含む。第２開封予定部４５は、ノッチ４６に代えて、又はノッチ４６に加えて、傷痕群やハーフカット線を含んでいてもよい。
【００４６】
第２開封予定部４５及びノッチ４６は、第１開封予定部４０及びノッチ４１の場合と同様に、第１方向Ｄ１及び第２方向Ｄ２のいずれに対しても傾斜した方向に延びていてもよい。例えば、ノッチ４６は、合掌部３６の先端部３６１側から収容部１５側へ向かうにつれて第３縁部１３側へ変位するよう、構成されている。ノッチ４１が延びる方向と第１方向Ｄ１とが成す角度は、３５度以上且つ９０度であってもよい。
【００４７】
（第１易破断部）
第１易破断部５１は、第１部分２３のうち破断され易くなっている部分である。図１及び図２に示すように、第１易破断部５１は、第１開封予定部４０から第２開封予定部４５に至るまで第１方向Ｄ１に延びるように第１部分２３に設けられている。第１易破断部５１を設けることにより、使用者は、合掌部３６及び合掌シール部３５を第１開封予定部４０に沿って破断させた後、第１部分２３を第１易破断部５１に沿って破断させることができる。
【００４８】
第１易破断部５１は、図３に示すように、第１端部５１１と、第２方向Ｄ２において第１端部５１１と対向する第２端部５１２と、を含む。第１端部５１１は、第１部分２３の厚み方向に沿って見た場合に合掌シール部３５と重ならないように配置されている。図３に示すように、第２端部５１２は、第１部分２３の厚み方向に沿って見た場合に合掌シール部３５と重なっていてもよい。言い換えると、第１易破断部５１は、合掌シール部３５の収容部１５側の端部を跨ぐように広がっていてもよい。若しくは、後述するように、第１易破断部５１の第２端部５１２は、第１部分２３の厚み方向に沿って見た場合に合掌シール部３５の収容部１５側の端部と重なっていてもよい。若しくは、図示はしないが、第１部分２３の厚み方向に沿って見た場合に、第１易破断部５１の第２端部５１２と合掌シール部３５の収容部１５側の端部との間に、わずかな隙間が、例えば５ｍｍ以下の隙間が存在していてもよい。
【００４９】
以下、第１易破断部５１の具体的な構造について説明する。図５は、図１に示す第１易破断部５１を拡大して示す平面図である。第１易破断部５１は、例えば、第１部分２３に形成された複数の孔６６１を含む傷痕群６６を有する。孔６６１は、第１方向Ｄ１および第２方向Ｄ２に複数配列されている。第１方向Ｄ１に直交する方向における傷痕群６６の幅Ｗ１、すなわち孔６６１の存在範囲は、例えば５ｍｍ以上且つ３０ｍｍ以下である。
【００５０】
図６は、図５の第１易破断部５１をVI−VI方向から見た断面図である。孔６６１は、少なくとも第１基材６２Ａを貫通している。このような孔６６１は、例えば、切刃を備えたロータリーダイロールなどを用いて第１基材６２Ａを構成するプラスチックフィルムを加工することによって第１基材６２Ａに形成され得る。なお、フィルム２０が第２基材６２Ｂを更に含む場合、孔６６１が更に第２基材６２Ｂを貫通していてもよい。この場合、第１基材６２Ａ及び第２基材６２Ｂが貼り合された積層体を、切刃を備えたロータリーダイロールなどを用いて加工することによって、孔６６１が形成され得る。
【００５１】
なお、第１部分２３の破断のし易さを高めることができる限りにおいて、孔６６１の具体的な構造は特には限定されない。例えば、袋１０にガスバリア性が求められない場合、孔６６１は、第１基材６２Ａだけでなくフィルム２０全体を貫通していてもよい。また、孔６６１は、フィルム２０に外面Ｓ２側から形成された複数の切れ込みであってもよい。この場合、切れ込みが延びる方向が、第１方向Ｄ１に平行であってもよい。
【００５２】
また、第１易破断部５１は、第１部分２３を構成するフィルム自体の引き裂き性によって実現されていてもよい。例えば、第１部分２３は、少なくとも１軸延伸された、好ましくは２軸延伸された延伸フィルムを、例えば第１基材６２Ａや第２基材６２Ｂとして含む。延伸フィルムを構成する材料としては、例えば、ナイロン（ＯＮｙ）などのポリアミド、ポリエチレンテレフタレート（ＰＥＴ）などのポリエステル、高密度ポリエチレン（ＨＤＰＥ）などのポリエチレン、又はポリプロピレンなどを用いることができる。第１部分２３がこのような延伸フィルムを含むことにより、第１部分２３が全域にわたって第１方向Ｄ１において破断され易くなる。
【００５３】
第１易破断部５１を延伸フィルムによって実現する場合、延伸フィルムは、第１方向Ｄ１に沿って延伸されていることが好ましい。例えば、第１基材６２Ａや第２基材６２Ｂを構成する延伸フィルムの延伸方向と、第１方向Ｄ１とが成す角度が、４５度以下であることが好ましく、３０度以下であることがより好ましく、２０度以下であることがさらに好ましい。これにより、第１基材６２Ａや第２基材６２Ｂを構成する延伸フィルムが、第１方向Ｄ１において破断され易い上述の縦裂きプラスチックフィルムとなる。
【００５４】
なお、延伸フィルムとは、ＪＩＳ  Ｋ  ７１２７に準拠して測定したときの引張伸度が３００％未満、好ましくは２００％以下であるフィルムを指す。第１易破断部５１を延伸フィルムによって実現する場合、第１方向Ｄ１における延伸フィルムの引張強度が、１００ＭＰａ以下であることが好ましい。
【００５５】
（第２易破断部）
第２易破断部５２は、第２部分２４のうち破断され易くなっている部分である。図１及び図２に示すように、第２易破断部５２は、第１開封予定部４０から第２方向Ｄ２に延びるように第２部分２４に設けられている。第２易破断部５２を設けることにより、使用者は、合掌部３６及び合掌シール部３５を第１開封予定部４０に沿って破断させた後、第２部分２４を第２易破断部５２に沿って破断させることができる。
【００５６】
図１において、符号θ１は、第１易破断部５１が延びる方向と、第２易破断部５２が延びる方向とが成す角度を表す。角度θ１は、好ましくは７０度以上且つ１００度以下であり、より好ましくは８０度以上且つ９５度以下である。
【００５７】
図２に示すように、第２易破断部５２は、第１端部５２１と、第２方向Ｄ２において第１端部５２１と対向する第２端部５２２と、を含む。第１端部５２１は、第２部分２４の厚み方向に沿って見た場合に合掌シール部３５と重ならないように配置されている。例えば、図２に示すように、第１端部５２１は、第２縁部１２と重なるように、又は第２縁部１２に近接するように配置されている。図２及び図３に示すように、第２端部５２２は、第２部分２４の厚み方向に沿って見た場合に合掌シール部３５と重なっていてもよい。言い換えると、第２易破断部５２は、合掌シール部３５の収容部１５側の端部を跨ぐように第２方向Ｄ２に延びていてもよい。若しくは、後述するように、第２易破断部５２の第２端部５２２は、第２部分２４の厚み方向に沿って見た場合に合掌シール部３５の収容部１５側の端部と重なっていてもよい。若しくは、図示はしないが、第２部分２４の厚み方向に沿って見た場合に、第２易破断部５２の第２端部５２２と合掌シール部３５の収容部１５側の端部との間に、わずかな隙間が、例えば５ｍｍ以下の隙間が存在していてもよい。
【００５８】
以下、第２易破断部５２の具体的な構造について説明する。図７は、図１に示す第２易破断部５２を拡大して示す平面図である。第２易破断部５２は、図５に示す第１易破断部５１の場合と同様に、第２部分２４に形成された複数の孔６６１を含む傷痕群６６を有していてもよい。孔６６１は、第１方向Ｄ１および第２方向Ｄ２に複数配列されている。第２方向Ｄ２に直交する方向における傷痕群６６の幅Ｗ２、すなわち孔６６１の存在範囲は、例えば５ｍｍ以上且つ１５ｍｍ以下である。
【００５９】
第２易破断部５２の傷痕群６６を構成する孔６６１の構造は、第１易破断部５１の傷痕群６６を構成する孔６６１の構造と同一であるので、詳細な説明を省略する。
【００６０】
図８は、第２易破断部５２のその他の例を拡大して示す平面図である。第２易破断部５２は、第２方向Ｄ２に沿って延びるハーフカット部６７を含んでいてもよい。第２方向Ｄ２に直交する方向におけるハーフカット部６７の幅Ｗ２は、例えば３ｍｍ以上且つ５ｍｍ以下である。ハーフカット部６７は、図８に示すように第２方向Ｄ２に沿って連続的に延びていてもよく、若しくは、図示はしないが、ハーフカット部６７は、第２方向Ｄ２に沿って断続的に延びていてもよい。
【００６１】
図９は、図８のハーフカット部６７をIX−IX向から見た断面図である。ハーフカット部６７は、第１基材６２Ａは貫通するがシーラント層６１は貫通しないよう構成されている。例えば、ハーフカット部６７は、第２部分２４の第１基材６２Ａ及び第２接着層６５を貫通するが、機能層６３、第１接着層６４及びシーラント層６１を貫通していなくてもよい。このようなハーフカット部６７は、例えば、第１基材６２Ａ及びシーラント層６１を少なくとも第２部分２４に外面Ｓ２側からレーザー光を照射して第２部分２４を加工することによって形成され得る。
【００６２】
図示はしないが、ハーフカット部６７は、第１基材６２Ａを貫通するが第２接着層６５を貫通していなくてもよい。この場合、例えば、まず、刃物を用いて第１基材６２Ａに、第１基材６２Ａを貫通する貫通孔やスリットを形成し、続いて、第１基材６２Ａと他の層とを積層する。これにより、第２部分２４にハーフカット部６７が形成されたフィルム２０を得ることができる。
【００６３】
図示はしないが、上述の第１易破断部５１も、図８及び図９に示す第２易破断部５２のハーフカット部６７と同様のハーフカット部を含んでいてもよい。この場合、ハーフカット部は、第１方向Ｄ１に沿って連続的又は断続的に延びている。
【００６４】
また、第２易破断部５２は、第２部分２４を構成するフィルム自体の引き裂き性によって実現されていてもよい。例えば、第２部分２４は、少なくとも１軸延伸された、好ましくは２軸延伸された延伸フィルムを、例えば第１基材６２Ａとして含む。
【００６５】
第２易破断部５２を延伸フィルムによって実現する場合、延伸フィルムは、第２方向Ｄ２に沿って延伸されていることが好ましい。例えば、第１基材６２Ａを構成する延伸フィルムの延伸方向と、第２方向Ｄ２とが成す角度が、３０度以下であることが好ましく、２０度以下であることがより好ましく、１０度以下であることがさらに好ましい。
【００６６】
第２易破断部５２を延伸フィルムによって実現する場合の、延伸フィルムを構成する具体的な材料やその引張伸度は、第１易破断部５１を延伸フィルムによって実現する場合と同一であるので、詳細な説明は省略する。
【００６７】
（第３易破断部）
第３易破断部５３は、第２易破断部５２と同様に、第２部分２４のうち破断され易くなっている部分である。第３易破断部５３は、図１及び図２に示すように、第１方向Ｄ１において第２易破断部５２から離れた位置において第２部分２４に設けられている。また、第３易破断部５３は、第２開封予定部４５から第２方向Ｄ２に延びるように第２部分２４に設けられている。第３易破断部５３を設けることにより、使用者は、第１部分２３を第１易破断部５１に沿って破断させ、且つ合掌部３６及び合掌シール部３５を第２開封予定部４５に沿って破断させた後、第２部分２４を第３易破断部５３に沿って破断させることができる。第１方向Ｄ１における第２易破断部５２と第３易破断部５３との間の間隔は、第１方向Ｄ１における第１開封予定部４０と第２開封予定部４５との間の上述の距離Ｌ１１にほぼ等しい。
【００６８】
図１において、符号θ２は、第１易破断部５１が延びる方向と、第３易破断部５３が延びる方向とが成す角度を表す。角度θ２は、好ましくは７０度以上且つ１００度以下であり、より好ましくは８０度以上且つ９５度以下である。
【００６９】
図７乃至図９に示すように、第３易破断部５３の構造は、第２易破断部５２の構造と同一であるので、詳細な説明を省略する。
【００７０】
（第１易破断部、第２易破断部及び第３易破断部の組み合わせ例）
上述のように、第１易破断部５１と、第２易破断部５２及び第３易破断部５３とはそれぞれ、傷痕群６６又はハーフカット部６７のような加工によって実現されてもよく、延伸フィルムのようなフィルム２０自体の引き裂き性によって実現されてもよい。従って、第１易破断部５１と、第２易破断部５２及び第３易破断部５３との組み合わせとして、様々な例が考えられる。以下、典型的な４例について、各例で用いられるフィルム２０の層構成の例と併せて説明する。
【００７１】
〔第１例〕
第１例においては、第１易破断部５１を、傷痕群６６又はハーフカット部６７のような加工によって実現し、第２易破断部５２及び第３易破断部５３を、第２方向Ｄ２における延伸フィルムの引き裂き性によって実現する。この場合、フィルム２０の層構成としては、図４Ａに示すような、フィルム２０が、延伸されたプラスチックフィルムを１つのみ（第１基材６２Ａ）含む場合、及び、図４Ｂに示すような、フィルム２０が、延伸されたプラスチックフィルムを２つ（第１基材６２Ａ及び第２基材６２Ｂ）含む場合の両方が考えられる。本例におけるフィルム２０の層構成の代表例を以下に示す。
第１基材／第２基材／シーラント層
第１基材／金属箔／シーラント層
いずれの場合にも、第１基材６２Ａ及び第２基材６２Ｂの少なくとも１つは、横裂きOPPや横裂きHDPEなどの横裂きのプラスチックフィルムとして構成されている。
【００７２】
第１例におけるフィルム２０の層構成の具体例を以下に列挙する。「／」は層と層の境界を表している。左端の層が、フィルム２０の外面Ｓ２を構成する層であり、右端の層が、フィルム２０の内面Ｓ１を構成する層である。
（１）横裂きOPP25/印/DL/AL7/DL/等方性易引裂PET14/DL/LLDPE30
（２）横裂きOPP25/印/AC/EMAA15/AL7/AC/PE15/LLDPE30
（３）横裂きOPP25/印/AC/LDPE15/横裂きHDPE18/AC/LLDPE20
（４）横裂きOPP20/印/AC/LDPE15/等方性易引裂PET12/AC/LLDPE20
（５）OPP20/印AC/LDPE15/横裂きHDPE18/AC/LLDPE20
「OPP」は、延伸ポリプロピレンフィルムを意味する。「印」は、印刷表示を構成する印刷層を意味する。「DL」は、ドライラミネートの略であり、接着剤層が存在することを意味する。「AL」は、機能層６３の一例であるアルミニウム箔を意味する。また、材料の右側に付されている数値は、各層の厚みを表す。厚みの単位はμｍである。
【００７３】
（１）〜（５）の例において、左端の横裂きOPP又はOPPが第１基材６２Ａを構成する。また、（１）、（３）、（４）及び（５）の例において、等方性易引裂PET又は横裂きHDPEが第２基材６２Ｂを構成する。
【００７４】
ところで、（１）及び（４）の例において第２基材６２Ｂを構成する等方性易引裂PETは、第２方向Ｄ２における破断強度と第１方向Ｄ１における破断強度とが同等であるという特性を有する。この場合、第１基材６２Ａとしては、横裂きOPPや横裂きHDPEなどの、第２方向Ｄ２における破断強度が第１方向Ｄ１における破断強度よりも小さい延伸フィルムを用いることが好ましい。第１基材６２Ａを構成する横裂きのプラスチックフィルムにおいて、第１方向Ｄ１における破断強度に対する第２方向Ｄ２における破断強度の比は、好ましくは１／２以下であり、より好ましくは１／４以下である。なお、特定の方向における引き裂き性を確保する上では、特定の方向における破断強度が１００ＭＰａ以下であることが好ましい。
【００７５】
〔第２例〕
第２例においては、第１易破断部５１を、第１方向Ｄ１における延伸フィルムの引き裂き性によって実現し、第２易破断部５２及び第３易破断部５３を、第２方向Ｄ２における延伸フィルムの引き裂き性によって実現する。本例におけるフィルム２０の層構成の代表例を以下に示す。
第１基材／第２基材／シーラント層
第１基材６２Ａ及び第２基材６２Ｂのうちの一方は、例えば、横裂きOPPや横裂きHDPEなどから構成され、第１基材６２Ａ及び第２基材６２Ｂのうちの他方は、例えば、等方性易引裂PETなどから構成される。
第２例におけるフィルム２０の層構成の具体例を以下に示す。
（６）等方性易引裂PET12/印/LDPE15/横裂きHDPE18/AC/LLDPE20
【００７６】
上述のように、横裂きHDPEは、第２方向Ｄ２における破断強度が第１方向Ｄ１における破断強度よりも小さいという特性を有する。また、等方性易引裂PETは、第１方向及び第２方向のいずれにおいても裂け易いという特性を有する。このため、フィルム２０に含まれる延伸フィルムの引き裂き性を利用して、第１易破断部５１並びに第２易破断部５２及び第３易破断部５３を実現することができる。
【００７７】
〔第３例〕
第３例においては、第１易破断部５１を、第１方向Ｄ１における延伸フィルムの引き裂き性によって実現し、第２易破断部５２及び第３易破断部５３を、傷痕群６６又はハーフカット部６７のような加工によって実現する。本例におけるフィルム２０の層構成の代表例を以下に示す。
第１基材／シーラント層
第１基材６２Ａは、等方性易引裂PETなどの、第１方向及び第２方向のいずれにおいても裂け易いプラスチックフィルムから構成される。
第３例におけるフィルム２０の層構成の具体例を以下に示す。
（７）等方性易引裂PET15/印/DL/VMPET12/DL/LLDPE25
VMPETは、蒸着層(VM)が設けられたPETを意味する。
【００７８】
〔第４例〕
第４例においては、第１易破断部５１を、傷痕群６６又はハーフカット部６７のような加工によって実現し、第２易破断部５２及び第３易破断部５３も、傷痕群６６又はハーフカット部６７のような加工によって実現する。第４例におけるフィルム２０の層構成の例を以下に示す。
（８）PET12/印/AC/LDPE15/AL7/AC/LLDPE30
（９）横裂きOPP25/印/DL/VMPET12/DL/CPP30
（１０）横裂きOPP25/印/DL/VMPE30
（１１）横裂きOPP25/印/DL/VMCPP20
（１２）等方性易引裂PET12/印/DL/CPP25
【００７９】
袋の開封方法
次に、上述の袋１０を開封する方法について、図１０乃至図１４を参照して説明する。
【００８０】
まず、図１０に示すように、使用者は、合掌部３６を第１開封予定部４０に沿って合掌部３６の先端部３６１側から収容部１５側へ破断させる。続いて、使用者は、図１１に示すように、第１開封予定部４０によって破断されて分断された後の合掌部３６のうち第２開封予定部４５側の部分を含む分断部分５５を、矢印Ｆ０で示す方向（第２縁部１２及び第４縁部１４に向かう方向）に引っ張る。矢印Ｆ０の方向は、第１方向Ｄ１及び第２方向Ｄ２のいずれに対しても傾斜している。このため、分断部分５５には、第１方向Ｄ１に平行な力Ｆ１、及び、第２方向Ｄ２に平行な力Ｆ２が働く。また、上述のように、第１部分２３には、第１開封予定部４０から第１方向Ｄ１に沿って延びる第１易破断部５１が設けられており、第２部分２４には、第１開封予定部４０から第２方向Ｄ２に沿って延びる第２易破断部５２が設けられている。このため、図１１に示すように、第１易破断部５１に沿って第１部分２３を破断させることができ、同時に、第２易破断部５２に沿って破断させることができる。これにより、袋１０に開口部１７を形成することができる。第１方向Ｄ１に沿う第１易破断部５１の破断は、例えば、第１部分２３のうち合掌シール部３５が形成されている部分と形成されていない部分との間の境界に沿って進行する。
【００８１】
第１易破断部５１及び第２易破断部５２に沿う破断は、図１２に示すように、例えば、第２方向Ｄ２に沿って見た場合に第１易破断部５１の破断の終点と第３易破断部５３とが重なるまで実施する。続いて、使用者は、図１３に示すように、合掌部３６を第２開封予定部４５に沿って合掌部３６の先端部３６１側から収容部１５側へ破断させる。これにより、第１易破断部５１に沿う第１部分２３の破断の経路と、第２開封予定部４５に沿う合掌シール部３５の破断の経路とを接続させる。
【００８２】
続いて、使用者は、図１４に示すように、分断部分５５を第２方向Ｄ２に沿って引っ張る。これにより、第２部分２４を第２開封予定部４５から第３易破断部５３に沿って破断させることができる。このようにして、袋１０を開封して開口部１７を形成することができる。
【００８３】
本実施の形態によれば、第１開封予定部４０から第１方向Ｄ１に延びる第１易破断部５１を第１部分２３に設け、第１開封予定部４０から第２方向Ｄ２に延びる第２易破断部５２を第２部分２４に設けることにより、第１開封予定部４０を起点として袋１０を第１方向Ｄ１及び第２方向Ｄ２に破断させることができる。また、第１方向Ｄ１において第２易破断部５２から離れた位置において第２方向に延びる第３易破断部５３を第２部分２４に設けることにより、第１易破断部５１の破断の終点を起点として第２方向Ｄ２に袋１０を破断させることができる。これにより、第１易破断部５１、第２易破断部５２及び第３易破断部５３によって画成される開口部１７を袋１０に形成することができる。また、第１易破断部５１、第２易破断部５２及び第３易破断部５３の配置を調整することにより、開口部１７の形状や面積を調整することができる。このため、幅や面積が大きい開口部１７を袋１０に形成することができるため、内容物１６を取り出しやすくすることができる。
【００８４】
なお、上述した各実施の形態に対して様々な変更を加えることが可能である。以下、変形例について説明する。以下の説明および以下の説明で用いる図面では、上述した各実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００８５】
（第１の変形例）
上述の実施の形態においては、合掌シール部３５に第１開封予定部４０及び第２開封予定部４５のいずれもが設けられている例を示したが、これに限られることはない。図１５に示すように、袋１０は、少なくとも第１開封予定部４０を備えていればよい。
【００８６】
（第２の変形例）
上述の実施の形態においては、袋１０がピロー袋である例を示したが、これに限られることはない。袋１０は、４つの縁部１１〜１４のうちの３つに沿ってシール部が設けられた、いわゆる三方シール袋であってもよい。この場合、３つのシール部のうちの１つは、第１開封予定部４０が設けられた合掌シール部３５である。例えば図１６に示すように、シール部は、第１縁部１１に沿って延びる合掌シール部３５と、第３縁部１３に沿って延びる第３シール部３３と、第４縁部１４に沿って延びる第４シール部３４と、を有する。
【００８７】
図１７は、図１６の袋１０をXVII−XVII方向から見た断面図である。図１６及び図１７に示すように、本変形例に係る袋１０も、上述の実施の形態の場合と同様に、合掌部３６に設けられた第１開封予定部４０を備える。図１６に示すように、袋１０は、第１方向Ｄ１において第１開封予定部４０から第４縁部１４側へ離れた位置において合掌部３６に設けられた第２開封予定部４５を更に備えていてもよい。また、袋１０は、第１開封予定部４０から第１方向Ｄ１に延びるよう第１部分２３に設けられた第１易破断部５１を更に備える。本変形例において、第１部分２３は、袋１０の裏面フィルム２２を構成している。また、袋１０は、第１開封予定部４０から第２方向Ｄ２に延びるよう第２部分２４に設けられた第２易破断部５２と、第１方向Ｄ１において第２易破断部５２から離れた位置において第２部分２４に設けられた第３易破断部５３と、を更に備える。本変形例において、第２部分２４は、袋１０の表面フィルム２１を構成している。合掌部３６は、裏面フィルム２２を構成する第１部分２３の第１端部２３１側の一部と、表面フィルム２１を構成する第２部分２４の第２端部２４１側の一部とが重なっている部分である。本変形例において、第１部分２３及び第２部分２４は、図１７に示すように、１枚のフィルムによって構成され得る。
【００８８】
本変形例に係る袋１０においても、第１開封予定部４０を起点として袋１０を第１易破断部５１及び第２易破断部５２に沿って破断させることができる。また、第１易破断部５１の破断の終点を起点として第３易破断部５３に沿って袋１０を破断させることができる。これにより、第１易破断部５１、第２易破断部５２及び第３易破断部５３によって画成される開口部を袋１０に形成することができる。また、第１易破断部５１、第２易破断部５２及び第３易破断部５３の配置を調整することにより、開口部１７の形状や面積を調整することができる。このため、幅や面積が大きい開口部１７を袋１０に形成することができるため、内容物１６を取り出しやすくすることができる。
【００８９】
（第３の変形例）
上述の第２の変形例においては、袋１０が三方シール袋である例を示したが、これに限られることはない。袋１０は、４つの縁部１１〜１４の全てに沿ってシール部が設けられた、いわゆる四方シール袋であってもよい。この場合、４つのシール部のうちの１つは、第１開封予定部４０が設けられた合掌部３６に形成された合掌シール部３５である。例えば図１８に示すように、第１開封予定部４０が設けられた合掌部３６は、裏面フィルム２２を構成する第１部分２３の第１端部２３１側の一部と、表面フィルム２１を構成する第２部分２４の第２端部２４１側の一部とが重なっている部分である。また、シール部は、第１縁部１１に沿って延びる合掌シール部３５と、第２縁部１２に沿って延びる第２シール部３２と、第３縁部１３に沿って延びる第３シール部３３と、第４縁部１４に沿って延びる第４シール部３４と、を有する。
【００９０】
本変形例において、第１部分２３及び第２部分２４は、図１７に示すように、１枚のフィルムによって構成され得る。本変形例において、第１部分２３及び第２部分２４はそれぞれ、図１９に示すように、別個のフィルムによって構成され得る。
【００９１】
本変形例に係る袋１０も、第２の変形例に係る袋１０の場合と同様の第１開封予定部４０、第１易破断部５１、第２易破断部５２及び第３易破断部５３を備える。このため、第１易破断部５１、第２易破断部５２及び第３易破断部５３によって画成される開口部を袋１０に形成することができる。
【００９２】
（第４の変形例）
上述の実施の形態においては、第１易破断部５１が、合掌シール部３５の収容部１５側の端部を跨ぐように広がる例を示した。しかしながら、これに限られることはなく、図２０に示すように、第１易破断部５１の第２端部５１２が、第１部分２３の厚み方向に沿って見た場合に合掌シール部３５の収容部１５側の端部と重なっていてもよい。
【００９３】
また、上述の実施の形態においては、第２易破断部５２が、合掌シール部３５の収容部１５側の端部を跨ぐように延びる例を示した。しかしながら、これに限られることはなく、図２０に示すように、第２易破断部５２の第２端部５２２が、第２部分２４の厚み方向に沿って見た場合に合掌シール部３５の収容部１５側の端部と重なっていてもよい。
【００９４】
なお、上述した実施の形態に対するいくつかの変形例を説明してきたが、当然に、複数の変形例を適宜組み合わせて適用することも可能である。
【符号の説明】
【００９５】
１０  袋
１１  第１縁部
１２  第２縁部
１３  第３縁部
１４  第４縁部
１５  収容部
１６  内容物
１７  開口部
２０  フィルム
２１  表面フィルム
２２  裏面フィルム
２３  第１部分
２３１  第１端部
２４  第２部分
２４１  第２端部
３０  シール部
３１  第１シール部
３２  第２シール部
３５  合掌シール部
３６  合掌部
３６１  先端部
３６２  基部
４０  第１開封予定部
４１  ノッチ
４５  第２開封予定部
４６  ノッチ
５１  第１易破断部
５２  第２易破断部
５３  第３易破断部
６１  シーラント層
６２  第１基材
６３  中間層
６４  第１接着層
６５  第２接着層
６６  第２基材
６６  傷痕群
６６１  孔
６７  ハーフカット部
６７１  孔
【図１】
2018193108.tif 000003
【図２】
2018193108.tif 000004
【図３】
2018193108.tif 000005
【図４Ａ】
2018193108.tif 000006
【図４Ｂ】
2018193108.tif 000007
【図５】
2018193108.tif 000008
【図６】
2018193108.tif 000009
【図７】
2018193108.tif 000010
【図８】
2018193108.tif 000011
【図９】
2018193108.tif 000012
【図１０】
2018193108.tif 000013
【図１１】
2018193108.tif 000014
【図１２】
2018193108.tif 000015
【図１３】
2018193108.tif 000016
【図１４】
2018193108.tif 000017
【図１５】
2018193108.tif 000018
【図１６】
2018193108.tif 000019
【図１７】
2018193108.tif 000020
【図１８】
2018193108.tif 000021
【図１９】
2018193108.tif 000022
【図２０】
2018193108.tif 000023